(57)【特許請求の範囲】
【請求項１】
ユーザ機器（ＵＥ）のために構成されたコンポーネントキャリア（ＣＣ）の数を決定することと、
前記数のＣＣ内で、クリア無認可チャネルアセスメント（ＣＣＡ）動作の対象となるＣＣの第１のセットを識別することと、
ＣＣＡ動作の対象となるＣＣの前記第１のセット内で、ソフトバッファを区分するためにＣＣＡクリアランスをもつＣＣの数を決定することと、
ＣＣの前記数と、ＣＣＡ動作の対象となるＣＣの前記第１のセットとに少なくとも部分的に基づいて前記ソフトバッファを区分することと、
前記ネットワーク動作がキャリアアグリゲーションを含むとき、前記ソフトバッファをジョイント区分することと
を備える、ワイヤレス通信の方法。
【請求項２】
ＣＣＡ動作の対象となるＣＣの前記第１のセットが無認可スペクトル中にある、請求項１に記載の方法。
【請求項３】
ＣＣＡ動作の対象となるＣＣの前記第１のセットが共有認可スペクトル中にある、請求項１に記載の方法。
【請求項４】
前記ソフトバッファを区分するために、ＣＣＡ動作の対象となるＣＣの前記第１のセットのための値を決定することをさらに含み、ただし、前記値が、ＣＣＡ動作の対象となるＣＣの前記第１のセット中のＣＣの前記数未満である、請求項１に記載の方法。
【請求項５】
ＣＣＡ動作の対象となるＣＣの前記第１のセット中のＣＣの前記数が、前記ＵＥのために構成されたＣＣの前記数に等しい、請求項１に記載の方法。
【請求項６】
ＣＣの第２のセットがＣＣＡ動作を免除された１つまたは複数のＣＣを含むと決定することをさらに含み、ここにおいて、前記ソフトバッファが、ＣＣの前記第１のセットとＣＣの前記第２のセットとについてセパレート区分されるかまたはジョイント区分されるかのうちの１つである、請求項１に記載の方法。
【請求項７】
前記ソフトバッファのビットサイズが、ＣＣの前記第１のセットについておよびＣＣの前記第２のセットについてセパレートに決定される、請求項６に記載の方法。
【請求項８】
ネットワーク動作に基づいて前記ソフトバッファをセパレート区分することまたはジョイント区分することのうちの１つを選択すること
をさらに含む、請求項６に記載の方法。
【請求項９】
前記ネットワーク動作が理想的でないバックホール通信を有する２つまたはそれ以上の基地局を含むとき、前記ソフトバッファをセパレート区分することを選択することと、ここにおいて、前記２つまたはそれ以上の基地局が、前記ＵＥのために構成された前記数のＣＣのうちの１つまたは複数に関連する、
をさらに含む、請求項８に記載の方法。
【請求項１０】
前記ソフトバッファを区分することが、ＲＲＣシグナリングメッセージ、前記ＵＥが多入力多出力（ＭＩＭＯ）シグナリングを使用して動作するかどうか、基地局のアップリンク／ダウンリンク構成に基づく前記ＵＥにとって利用可能なダウンリンクハイブリッド自動再送要求（ＨＡＲＱ）プロセスの最大数、またはサイズの決定において許容されるＨＡＲＱプロセスの最大限界のうちの少なくとも１つにさらに基づく、請求項１に記載の方法。
【請求項１１】
ＨＡＲＱプロセスの前記最大限界Ｍlimitが、ＣＣの前記第１のセットのために選択された第１のＭlimitと、ＣＣの前記第２のセットのために選択された第２のＭlimitとを含む、請求項１０に記載の方法。
【請求項１２】
少なくとも１つのプロセッサと、
前記少なくとも１つのプロセッサに結合されたメモリと、
ここにおいて、前記少なくとも１つのプロセッサは、
ユーザ機器（ＵＥ）のために構成されたコンポーネントキャリア（ＣＣ）の数を決定することと、
前記数のＣＣ内で、クリア無認可チャネルアセスメント（ＣＣＡ）動作の対象となるＣＣの第１のセットを識別することと、
ＣＣＡ動作の対象となるＣＣの前記第１のセット内で、ソフトバッファを区分するためにＣＣＡクリアランスをもつＣＣの数を決定することと、
ＣＣの前記数と、ＣＣＡ動作の対象となるＣＣの前記第１のセットとに少なくとも部分的に基づいて前記ソフトバッファを区分することと、
前記ネットワーク動作がキャリアアグリゲーションを含むとき、前記ソフトバッファをジョイント区分することと
を行うように構成される、
を備える、ワイヤレス通信のために構成された装置。
【請求項１３】
ＣＣＡ動作の対象となるＣＣの前記第１のセットが無認可スペクトル中にある、請求項１２に記載の装置。
【請求項１４】
ＣＣＡ動作の対象となるＣＣの前記第１のセットが共有認可スペクトル中にある、請求項１２に記載の装置。
【請求項１５】
前記ソフトバッファを区分するために、ＣＣＡ動作の対象となるＣＣの前記第１のセットのための値を決定するための前記少なくとも１つのプロセッサの構成をさらに含み、ただし、前記値が、ＣＣＡ動作の対象となるＣＣの前記第１のセット中のＣＣの前記数未満である、請求項１２に記載の装置。
【請求項１６】
ＣＣＡ動作の対象となるＣＣの前記第１のセット中のＣＣの前記数が、前記ＵＥのために構成されたＣＣの前記数に等しい、請求項１２に記載の装置。
【請求項１７】
ＣＣの第２のセットがＣＣＡ動作を免除された１つまたは複数のＣＣを含むと決定するための前記少なくとも１つのプロセッサの構成をさらに含み、ここにおいて、前記ソフトバッファが、ＣＣの前記第１のセットとＣＣの前記第２のセットとについてセパレート区分されるかまたはジョイント区分されるかのうちの１つである、請求項１２に記載の装置。
【請求項１８】
前記ソフトバッファのビットサイズが、ＣＣの前記第１のセットについておよびＣＣの前記第２のセットについてセパレートに決定される、請求項１６に記載の装置。
【請求項１９】
ネットワーク動作に基づいて前記ソフトバッファをセパレート区分することまたはジョイント区分することのうちの１つを選択するための前記少なくとも１つのプロセッサの構成
をさらに含む、請求項１６に記載の装置。
【請求項２０】
前記ネットワーク動作が理想的でないバックホール通信を有する２つまたはそれ以上の基地局を含むとき、前記ソフトバッファをセパレート区分することを選択するための前記少なくとも１つのプロセッサの構成、ここにおいて、前記２つまたはそれ以上の基地局が、前記ＵＥのために構成された前記数のＣＣのうちの１つまたは複数に関連する、
をさらに含む、請求項１９に記載の装置。
【請求項２１】
前記ソフトバッファを区分することが、ＲＲＣシグナリングメッセージ、前記ＵＥが多入力多出力（ＭＩＭＯ）シグナリングを使用して動作するかどうか、基地局のアップリンク／ダウンリンク構成に基づく前記ＵＥにとって利用可能なダウンリンクハイブリッド自動再送要求（ＨＡＲＱ）プロセスの最大数、またはサイズの決定において許容されるＨＡＲＱプロセスの最大限界のうちの少なくとも１つにさらに基づく、請求項１２に記載の装置。
【請求項２２】
ＨＡＲＱプロセスの前記最大限界Ｍlimitが、ＣＣの前記第１のセットのために選択された第１のＭlimitと、ＣＣの前記第２のセットのために選択された第２のＭlimitとを含む、請求項２１に記載の装置。
【請求項２３】
プログラムコードを記録した非一時的コンピュータ可読記憶媒体であって、前記プログラムコードが、１つまたは複数のコンピュータプロセッサによって実行されたとき、
ユーザ機器（ＵＥ）のために構成されたコンポーネントキャリア（ＣＣ）の数を決定することと、
前記数のＣＣ内で、クリア無認可チャネルアセスメント（ＣＣＡ）動作の対象となるコンポーネントキャリアの第１のセットを識別することと、
ＣＣＡ動作の対象となるＣＣの前記第１のセット内で、ソフトバッファを区分するためにＣＣＡクリアランスをもつＣＣの数を決定することと、
ＣＣの前記数と、ＣＣＡ動作の対象となるＣＣの前記第１のセットとに少なくとも部分的に基づいて前記ソフトバッファを区分することと、
前記ネットワーク動作がキャリアアグリゲーションを含むとき、前記ソフトバッファをジョイント区分することと
を前記１つまたは複数のコンピュータプロセッサに行わせる、非一時的コンピュータ可読記憶媒体。
【請求項２４】
ＣＣＡ動作の対象となるＣＣの前記第１のセットが無認可スペクトルまたは共有認可スペクトルのうちの１つ中にある、請求項２３に記載の非一時的コンピュータ可読記憶媒体。
【発明の詳細な説明】
【技術分野】
【０００１】
[0001]本出願は、その全体が参照により本明細書に明確に組み込まれる、２０１３年１１月４日に出願された「SOFT BUFFER MANAGEMENT」と題する米国仮特許出願第６１／８９９，６６６号、および２０１４年９月３０日に出願された「SOFT BUFFER MANAGEMENT」と題する米国実用特許出願第１４／５０２，８４８号の利益を主張する。
【０００２】
[0002]本開示の態様は、一般にワイヤレス通信システムに関し、より詳細には、無認可スペクトルを含むワイヤレスシステムにおけるソフトバッファ管理に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続（multiple-access）ネットワークであり得る。通常、多元接続ネットワークである、そのようなネットワークは、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ：3rd Generation Partnership Project）（登録商標）によってサポートされる第３世代（３Ｇ）モバイルフォン技術である、ユニバーサルモバイルテレコミュニケーションズシステム（ＵＭＴＳ：Universal Mobile Telecommunications System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]モバイルブロードバンドアクセスに対する需要が増加し続けるにつれて、より多くのＵＥが長距離ワイヤレス通信ネットワークにアクセスし、より多くの短距離ワイヤレスシステムがコミュニティにおいて展開されて、干渉および輻輳ネットワークの可能性が増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００７】
[0007]本開示の一態様では、ワイヤレス通信の方法は、基地局によって、ＵＥによって監視されるコンポーネントキャリア（ＣＣ）の第１の数を決定することと、基地局によって、１つまたは複数の復号に失敗したデータパケットを記憶するためのソフトバッファを区分するためのＣＣの第２の数を決定することとを含み、ここにおいて、第２の数は第１の数とは異なる。
【０００８】
[0008]本開示の追加の態様では、ワイヤレス通信のために構成された装置は、基地局によって、ＵＥによって監視されるＣＣの第１の数を決定するための手段と、基地局によって、１つまたは複数の復号に失敗したデータパケットを記憶するためのソフトバッファを区分するためのＣＣの第２の数を決定するための手段とを含み、ここにおいて、第２の数は第１の数とは異なる。
【０００９】
[0009]本開示の追加の態様では、プログラムコードを記録したコンピュータ可読媒体は、基地局によって、ＵＥによって監視されるＣＣの第１の数を決定するためのコードと、基地局によって、１つまたは複数の復号に失敗したデータパケットを記憶するためのソフトバッファを区分するためのＣＣの第２の数を決定するためのコードとを含み、ここにおいて、第２の数は第１の数とは異なる。
【００１０】
[0010]本開示の追加の態様では、装置は、少なくとも１つのプロセッサと、プロセッサに結合されたメモリとを含む。上記プロセッサは、基地局によって、ＵＥによって監視されるＣＣの第１の数を決定することと、基地局によって、１つまたは複数の復号に失敗したデータパケットを記憶するためのソフトバッファを区分するためのＣＣの第２の数を決定することとを行うように構成され、ここにおいて、第２の数は第１の数とは異なる。
【図面の簡単な説明】
【００１１】
【図１】[0011]様々な実施形態による、ワイヤレス通信システムの一例を示す図。
【図２Ａ】[0012]様々な実施形態による、無認可スペクトル中でＬＴＥ（登録商標）を使用するための展開シナリオの例を示す図。
【図２Ｂ】[0013]様々な実施形態による、無認可スペクトル中でＬＴＥを使用するための展開シナリオの別の例を示す図。
【図３】[0014]様々な実施形態による、認可および無認可スペクトル中でＬＴＥをコンカレントに使用するときのキャリアアグリゲーションの一例を示す図。
【図４】[0015]本開示の一態様に従って構成された、基地局／ｅＮＢおよびＵＥの設計を概念的に示すブロック図。
【図５】[0016]本開示の様々な態様を実装するために実行される例示的なブロックを示す機能ブロック図。
【図６】本開示の様々な態様を実装するために実行される例示的なブロックを示す機能ブロック図。
【図７】本開示の様々な態様を実装するために実行される例示的なブロックを示す機能ブロック図。
【図８】本開示の様々な態様を実装するために実行される例示的なブロックを示す機能ブロック図。
【図９】本開示の様々な態様を実装するために実行される例示的なブロックを示す機能ブロック図。
【図１０】本開示の様々な態様を実装するために実行される例示的なブロックを示す機能ブロック図。
【図１１】本開示の様々な態様を実装するために実行される例示的なブロックを示す機能ブロック図。
【発明を実施するための形態】
【００１２】
[0017]添付の図面に関して以下に示す発明を実施するための形態は、様々な構成を説明するものであり、本開示の範囲を限定するものではない。そうではなく、発明を実施するための形態は、本発明の主題の完全な理解を与えるための具体的な詳細を含む。これらの具体的な詳細は、あらゆる場合において必要とされるとは限らないことと、いくつかの事例では、よく知られている構造および構成要素は提示を明快にするためにブロック図の形式で示されることとが当業者には明らかであろう。
【００１３】
[0018]事業者は、これまで、セルラーネットワークにおける輻輳の常に増加するレベルを軽減するために無認可スペクトルを使用するための主要な機構としてＷｉＦｉ（登録商標）を見てきた。しかしながら、無認可スペクトル中のＬＴＥに基づくニューキャリアタイプ（ＮＣＴ：new carrier type）はキャリアグレードＷｉＦｉに適合し得るので、無認可スペクトルを用いるＬＴＥ／ＬＴＥアドバンスト（ＬＴＥ−Ａ）がＷｉＦｉの代替になる。無認可スペクトルを用いるＬＴＥ／ＬＴＥ−Ａは、ＬＴＥ概念を活用し得、無認可スペクトル中での効率的な動作を可能にすることと、規制要件を満たすこととのために、ネットワークまたはネットワークデバイスの物理レイヤ（ＰＨＹ）およびメディアアクセス制御（ＭＡＣ）態様にいくつかの変更を導入し得る。無認可スペクトルは、たとえば、６００メガヘルツ（ＭＨｚ）から６ギガヘルツ（ＧＨｚ）までにわたり得る。いくつかのシナリオでは、無認可スペクトルを用いるＬＴＥ／ＬＴＥ−ＡはＷｉＦｉよりも著しく良好に機能し得る。たとえば、全ＷｉＦｉ展開と比較して、または高密度スモールセル展開があるとき、（単一または複数の事業者のための）無認可スペクトル展開を用いる全ＬＴＥ／ＬＴＥ−Ａは、無認可スペクトルを用いるＬＴＥ／ＬＴＥ−ＡはＷｉＦｉよりも著しく良好に機能し得る。無認可スペクトルを用いるＬＴＥ／ＬＴＥ−Ａは、無認可スペクトルを用いるＬＴＥ／ＬＴＥ−Ａが（単一または複数の事業者のために）ＷｉＦｉと混合されるときなど、他のシナリオにおいてＷｉＦｉよりも良好に機能し得る。
【００１４】
[0019]単一のサービスプロバイダ（ＳＰ）の場合、無認可スペクトル上のＬＴＥ／ＬＴＥ−Ａネットワークは、認可スペクトル上のＬＴＥネットワークと同期しているように構成され得る。しかしながら、複数のＳＰによって所与のチャネル上で展開される無認可スペクトルを用いるＬＴＥ／ＬＴＥ−Ａネットワークは、複数のＳＰにわたって同期しているように構成され得る。上記の特徴の両方を組み込むための１つの手法は、所与のＳＰのために、無認可スペクトルを用いるＬＴＥ／ＬＴＥ−Ａと、無認可スペクトルを用いないＬＴＥ／ＬＴＥ−Ａとの間で一定のタイミングオフセットを使用することを伴い得る。無認可スペクトルを用いるＬＴＥ／ＬＴＥ−Ａネットワークは、ＳＰの必要に従ってユニキャストおよび／またはマルチキャストサービスを与え得る。その上、無認可スペクトルを用いるＬＴＥ／ＬＴＥ−Ａネットワークは、ＬＴＥセルが、アンカーとして働き、関連するセル情報（たとえば、無線フレームタイミング、共通チャネル構成、システムフレーム番号またはＳＦＮなど）を与える、ブートストラップモードで動作し得る。このモードでは、無認可スペクトルを用いるＬＴＥ／ＬＴＥ−Ａと、無認可スペクトルを用いないＬＴＥ／ＬＴＥ−Ａとの間に緊密な相互作用があり得る。たとえば、ブートストラップモードは、上記で説明した補足ダウンリンク（supplemental downlink）モードとキャリアアグリゲーションモードとをサポートし得る。無認可スペクトルを用いるＬＴＥ／ＬＴＥ−ＡネットワークのＰＨＹ−ＭＡＣレイヤは、無認可スペクトルを用いるＬＴＥ／ＬＴＥ−ＡネットワークがＬＴＥネットワークとは無関係に動作するスタンドアロンモードで動作し得る。この場合、たとえば、コロケートされたセルとのＲＬＣレベルアグリゲーション、または複数のセルおよび／または基地局にわたるマルチフローに基づいて、無認可スペクトルを用いるＬＴＥ／ＬＴＥ−Ａと、無認可スペクトルを用いないＬＴＥ／ＬＴＥ−Ａとの間に緩い相互作用があり得る。
【００１５】
[0020]本明細書で説明する技法は、ＬＴＥに限定されず、ＣＤＭＡ、ＴＤＭＡ、ＦＤＭＡ、ＯＦＤＭＡ、ＳＣ−ＦＤＭＡ、および他のシステムなど、様々なワイヤレス通信システムのためにも使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のシステムおよび無線技術、ならびに他のシステムおよび無線技術のために使用され得る。ただし、以下の説明では、例としてＬＴＥシステムについて説明し、以下の説明の大部分においてＬＴＥ用語が使用されるが、本技法はＬＴＥ適用例以外に適用可能である。
【００１６】
[0021]したがって、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、適宜に様々な手順または構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００１７】
[0022]最初に図１を参照すると、図はワイヤレス通信システムまたはネットワーク１００の一例を示している。システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ（図示せず）の制御下で通信デバイス１１５と通信し得る。基地局１０５は、バックホールリンク１３２を介してコアネットワーク１３０と制御情報および／またはユーザデータを通信し得る。実施形態では、基地局１０５は、ワイヤードまたはワイヤレス通信リンクであり得るバックホールリンク１３４を介して互いと直接または間接的に通信し得る。システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００１８】
[0023]基地局１０５は、１つまたは複数の基地局アンテナを介してデバイス１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、基本サービスセット（ＢＳＳ：basic service set）、拡張サービスセット（ＥＳＳ：extended service set）、ノードＢ、ｅノードＢ（ｅＮＢ）、ホームノードＢ、ホームｅノードＢ、または何らかの他の好適な用語で呼ばれることがある。基地局のためのカバレージエリア１１０は、カバレージエリアの一部分のみを構成するセクタに分割され得る（図示せず）。システム１００は、異なるタイプの基地局１０５（たとえば、マクロ基地局、マイクロ基地局、および／またはピコ基地局）を含み得る。異なる技術のための重複するカバレージエリアがあり得る。
【００１９】
[0024]いくつかの実施形態では、システム１００は、無認可スペクトルを用いる１つまたは複数の動作モードまたは展開シナリオをサポートするＬＴＥ／ＬＴＥ−Ａネットワークである。他の実施形態では、システム１００は、無認可スペクトルと、無認可スペクトルを用いるＬＴＥ／ＬＴＥ−Ａとは異なるアクセス技術とを使用する、または認可スペクトルと、ＬＴＥ／ＬＴＥ−Ａとは異なるアクセス技術とを使用するワイヤレス通信をサポートし得る。概して、発展型ノードＢ（ｅＮＢ）およびユーザ機器（ＵＥ）という用語は、それぞれ、基地局１０５およびデバイス１１５を表すために使用され得る。システム１００は、異なるタイプのｅＮＢがその中で様々な地理的領域にカバレージを与える、無認可スペクトルを用いるおよび用いない異種（Heterogeneous）ＬＴＥ／ＬＴＥ−Ａネットワークであり得る。たとえば、各ｅＮＢ１０５は、通信カバレージをマクロセル、ピコセル、フェムトセル、および／または他のタイプのセルに与え得る。ピコセル、フェムトセル、および／または他のタイプのセルなどのスモールセルは低電力ノードまたはＬＰＮを含み得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による限定アクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００２０】
[0025]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を通して）直接または間接的に、互いと通信し得る。システム１００は同期動作または非同期動作をサポートし得る。同期動作の場合、ｅＮＢは同様のフレームタイミングおよび／またはゲーティングタイミングを有し得、異なるｅＮＢからの送信は近似的に時間的に整合され得る。非同期動作の場合、ｅＮＢは異なるフレームタイミングおよび／またはゲーティングタイミングを有し得、異なるｅＮＢからの送信は時間的に整合されないことがある。本明細書で説明する技法は、同期動作または非同期動作のいずれかのために使用され得る。
【００２１】
[0026]ＵＥ１１５はシステム１００全体にわたって分散され、各ＵＥは固定またはモバイルであり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００２２】
[0027]システム１００中に示された通信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は順方向リンク送信と呼ばれることもあり、アップリンク送信は逆方向リンク送信と呼ばれることもある。ダウンリンク送信は、認可スペクトル、無認可スペクトル、またはその両方を使用して行われ得る。同様に、アップリンク送信は、認可スペクトル、無認可スペクトル、またはその両方を使用して行われ得る。
【００２３】
[0028]システム１００のいくつかの実施形態では、認可スペクトル中のＬＴＥダウンリンク容量が無認可スペクトルにオフロードされ得る補足ダウンリンク（ＳＤＬ）モードと、ＬＴＥダウンリンク容量とＬＴＥアップリンク容量の両方が認可スペクトルから無認可スペクトルにオフロードされ得るキャリアアグリゲーションモードと、基地局（たとえば、ｅＮＢ）とＵＥとの間のＬＴＥダウンリンクおよびアップリンク通信が無認可スペクトル中で行われ得るスタンドアロンモードとを含む、無認可スペクトルを用いるＬＴＥ／ＬＴＥ−Ａのための様々な展開シナリオがサポートされ得る。基地局１０５ならびにＵＥ１１５は、これらまたは同様の動作モードのうちの１つまたは複数をサポートし得る。無認可スペクトル中のＬＴＥダウンリンク送信のために通信リンク１２５中でＯＦＤＭＡ通信信号が使用され得、無認可スペクトル中のＬＴＥアップリンク送信のために通信リンク１２５中でＳＣ−ＦＤＭＡ通信信号が使用され得る。システム１００などのシステムにおける、無認可スペクトル展開シナリオまたは動作モードを用いるＬＴＥ／ＬＴＥ−Ａの実装形態に関するさらなる詳細、ならびに無認可スペクトルを用いるＬＴＥ／ＬＴＥ−Ａの動作に関係する他の特徴および機能を、図２Ａ〜図１１を参照しながら以下で与える。
【００２４】
[0029]次に図２Ａを参照すると、図２００は、無認可スペクトルを用いるＬＴＥ／ＬＴＥ−ＡをサポートするＬＴＥネットワークのための補足ダウンリンクモードおよびキャリアアグリゲーションモードの例を示している。図２００は図１のシステム１００の部分の一例であり得る。その上、基地局１０５−ａは図１の基地局１０５の例であり得、ＵＥ１１５−ａは図１のＵＥ１１５の例であり得る。
【００２５】
[0030]図２００における補足ダウンリンクモードの例では、基地局１０５−ａは、ダウンリンク２０５を使用してＵＥ１１５−ａにＯＦＤＭＡ通信信号を送信し得る。ダウンリンク２０５は無認可スペクトル中の周波数Ｆ１に関連する。基地局１０５−ａは、双方向リンク２１０を使用して同じＵＥ１１５−ａにＯＦＤＭＡ通信信号を送信し得、双方向リンク２１０を使用してＵＥ１１５−ａからＳＣ−ＦＤＭＡ通信信号を受信し得る。双方向リンク２１０は認可スペクトル中の周波数Ｆ４に関連する。無認可スペクトル中のダウンリンク２０５と認可スペクトル中の双方向リンク２１０とはコンカレントに動作し得る。ダウンリンク２０５はダウンリンク容量オフロードを基地局１０５−ａに与え得る。いくつかの実施形態では、ダウンリンク２０５は、ユニキャストサービス（たとえば、１つのＵＥにアドレス指定される）サービスのために、またはマルチキャストサービス（たとえば、いくつかのＵＥにアドレス指定される）のために使用され得る。このシナリオは、認可スペクトルを使用し、トラフィックおよび／またはシグナリング輻輳の一部を軽減する必要がある、任意のサービスプロバイダ（たとえば、旧来のモバイルネットワーク事業者またはＭＮＯ）に関して発生し得る。
【００２６】
[0031]図２００におけるキャリアアグリゲーションモードの一例では、基地局１０５−ａは、双方向リンク２１５を使用してＵＥ１１５−ａにＯＦＤＭＡ通信信号を送信し得、双方向リンク２１５を使用して同じＵＥ１１５−ａからＳＣ−ＦＤＭＡ通信信号を受信し得る。双方向リンク２１５は無認可スペクトル中の周波数Ｆ１に関連する。基地局１０５−ａはまた、双方向リンク２２０を使用して同じＵＥ１１５−ａにＯＦＤＭＡ通信信号を送信し得、双方向リンク２２０を使用して同じＵＥ１１５−ａからＳＣ−ＦＤＭＡ通信信号を受信し得る。双方向リンク２２０は認可スペクトル中の周波数Ｆ２に関連する。双方向リンク２１５はダウンリンクおよびアップリンク容量オフロードを基地局１０５−ａに与え得る。上記で説明した補足ダウンリンクのように、このシナリオは、認可スペクトルを使用し、トラフィックおよび／またはシグナリング輻輳の一部を軽減する必要がある、任意のサービスプロバイダ（たとえば、ＭＮＯ）に関して発生し得る。
【００２７】
[0032]図２００におけるキャリアアグリゲーションモードの別の例では、基地局１０５−ａは、双方向リンク２２５を使用してＵＥ１１５−ａにＯＦＤＭＡ通信信号を送信し得、双方向リンク２２５を使用して同じＵＥ１１５−ａからＳＣ−ＦＤＭＡ通信信号を受信し得る。双方向リンク２２５は無認可スペクトル中の周波数Ｆ３に関連する。基地局１０５−ａはまた、双方向リンク２３０を使用して同じＵＥ１１５−ａにＯＦＤＭＡ通信信号を送信し得、双方向リンク２３０を使用して同じＵＥ１１５−ａからＳＣ−ＦＤＭＡ通信信号を受信し得る。双方向リンク２３０は認可スペクトル中の周波数Ｆ２に関連する。双方向リンク２２５はダウンリンクおよびアップリンク容量オフロードを基地局１０５−ａに与え得る。この例および上記で与えた例は説明の目的で提示され、容量オフロードのために、無認可スペクトルを用いるＬＴＥ／ＬＴＥ−Ａと、無認可スペクトルを用いないＬＴＥ／ＬＴＥ−Ａとを組み合わせる他の同様の動作モードまたは展開シナリオがあり得る。
【００２８】
[0033]上記で説明したように、無認可帯域を用いるＬＴＥ／ＬＴＥ−Ａを使用することによって提供される容量オフロードから恩恵を受け得る一般的なサービスプロバイダは、ＬＴＥスペクトルを用いる旧来のＭＮＯである。これらのサービスプロバイダの場合、動作構成は、認可スペクトル上の１次コンポーネントキャリア（ＰＣＣ：primary component carrier）と無認可スペクトル上の２次コンポーネントキャリア（ＳＣＣ：secondary component carrier）とを使用するブートストラップモード（たとえば、補足ダウンリンク、キャリアアグリゲーション）を含み得る。
【００２９】
[0034]補足ダウンリンクモードでは、無認可スペクトルを用いるＬＴＥ／ＬＴＥ−Ａのための制御はＬＴＥアップリンク（たとえば、双方向リンク２１０のアップリンク部分）上でトランスポートされ得る。ダウンリンク容量オフロードを与える理由の１つは、データ需要が大部分はダウンリンク消費によって引き起こされるからである。その上、このモードでは、ＵＥが無認可スペクトル中で送信していないので、規制上の影響がないことがある。ＵＥ上でリッスンビフォアトーク（ＬＢＴ：listen-before-talk）またはキャリア検知多重アクセス（ＣＳＭＡ：carrier sense multiple access）要件を実装する必要はない。しかしながら、ＬＢＴは、たとえば、周期（たとえば、１０ミリ秒ごとの）クリアチャネルアセスメント（ＣＣＡ：clear channel assessment）および／または無線フレーム境界に整合された把持および放棄（grab-and-relinquish）機構を使用することによって、基地局（たとえば、ｅＮＢ）上で実装され得る。
【００３０】
[0035]キャリアアグリゲーションモードでは、ＬＴＥ（たとえば、双方向リンク２１０、２２０、および２３０）においてデータおよび制御が通信され得、無認可スペクトルを用いるＬＴＥ／ＬＴＥ−Ａ（たとえば、双方向リンク２１５および２２５）においてデータが通信され得る。無認可スペクトルを用いるＬＴＥ／ＬＴＥ−Ａを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたる異なる対称性を伴うＴＤＤ−ＴＤＤキャリアアグリゲーションに入り得る。
【００３１】
[0036]図２Ｂに、無認可スペクトルを用いるＬＴＥ／ＬＴＥ−Ａのためのスタンドアロンモードの一例を示す図２００−ａを示す。図２００−ａは図１のシステム１００の部分の一例であり得る。その上、基地局１０５−ｂは、図１の基地局１０５および図２Ａの基地局１０５−ａの例であり得、ＵＥ１１５−ｂは、図１のＵＥ１１５および図２ＡのＵＥ１１５−ａの例であり得る。
【００３２】
[0037]図２００−ａにおけるスタンドアロンモードの例では、基地局１０５−ｂは、双方向リンク２４０を使用してＵＥ１１５−ｂにＯＦＤＭＡ通信信号を送信し得、双方向リンク２４０を使用してＵＥ１１５−ｂからＳＣ−ＦＤＭＡ通信信号を受信し得る。双方向リンク２４０は、図２Ａに関して上記で説明した無認可スペクトル中の周波数Ｆ３に関連する。スタンドアロンモードは、スタジアム内アクセス（たとえば、ユニキャスト、マルチキャスト）など、非旧来型ワイヤレスアクセスシナリオにおいて使用され得る。この動作モードのための一般的なサービスプロバイダは、スタジアム所有者、ケーブル会社、イベント主催者、ホテル、企業、および認可スペクトルを有しない大企業であり得る。これらのサービスプロバイダの場合、スタンドアロンモードのための動作構成は、無認可スペクトル上で無認可スペクトルＰＣＣを用いるＬＴＥ／ＬＴＥ−Ａを使用し得る。その上、ＬＢＴは、基地局とＵＥの両方上で実装され得る。
【００３３】
[0038]次に図３を参照すると、図３００は、様々な実施形態による、認可および無認可スペクトル中でＬＴＥをコンカレントに使用するときのキャリアアグリゲーションの一例を示している。図３００におけるキャリアアグリゲーション方式は、図２Ａに関して上記で説明したハイブリッドＦＤＤ−ＴＤＤキャリアアグリゲーションに対応し得る。このタイプのキャリアアグリゲーションは、図１のシステム１００の少なくとも一部分において使用され得る。その上、このタイプのキャリアアグリゲーションは、それぞれ図１および図２Ａの基地局１０５および１０５−ａにおいて、および／またはそれぞれ図１および図２ＡのＵＥ１１５および１１５−ａにおいて使用され得る。
【００３４】
[0039]この例では、ＦＤＤ（ＦＤＤ−ＬＴＥ）がダウンリンクにおいてＬＴＥに関して実行され得、第１のＴＤＤ（ＴＤＤ１）が、無認可スペクトルを用いるＬＴＥ／ＬＴＥ−Ａに関して実行され得、第２のＴＤＤ（ＴＤＤ２）がＬＴＥに関して実行され得、別のＦＤＤ（ＦＤＤ−ＬＴＥ）がアップリンクにおいてＬＴＥに関して実行され得る。ＴＤＤ１は６：４のＤＬ：ＵＬ比を生じ、ＴＤＤ２についての比は７：３である。時間スケール上で、異なる有効ＤＬ：ＵＬ比は、３：１、１：３、２：２、３：１、２：２、および３：１である。この例は説明の目的で提示され、無認可スペクトルを用いるＬＴＥ／ＬＴＥ−Ａの動作と、無認可スペクトルを用いないＬＴＥ／ＬＴＥ−Ａの動作とを組み合わせる他のキャリアアグリゲーション方式があり得る。
【００３５】
[0040]図４に、図１中の基地局／ｅＮＢのうちの１つであり得る基地局／ｅＮＢ１０５および図１中のＵＥのうちの１つであり得るＵＥ１１５の設計のブロック図を示す。ｅＮＢ１０５はアンテナ４３４ａ〜４３４ｔを装備し得、ＵＥ１１５はアンテナ４５２ａ〜４５２ｒを装備し得る。ｅＮＢ１０５において、送信プロセッサ４２０が、データソース４１２からデータを受信し、コントローラ／プロセッサ４４０から制御情報を受信し得る。制御情報は、物理ブロードキャストチャネル（ＰＢＣＨ：physical broadcast channel）、物理制御フォーマットインジケータチャネル（ＰＣＦＩＣＨ：physical control format indicator channel）、物理ハイブリッド自動再送要求インジケータチャネル（ＰＨＩＣＨ：physical hybrid automatic repeat request indicator channel）、物理ダウンリンク制御チャネル（ＰＤＣＣＨ：physical downlink control channel）などのためのものであり得る。データは物理ダウンリンク共有チャネル（ＰＤＳＣＨ：physical downlink shared channel）などのためのものであり得る。送信プロセッサ４２０は、データシンボルおよび制御シンボルを取得するために、それぞれデータおよび制御情報を処理（たとえば、符号化およびシンボルマッピング）し得る。送信プロセッサ４２０はまた、たとえば、１次同期信号（ＰＳＳ：primary synchronization signal）、２次同期信号（ＳＳＳ：secondary synchronization signal）、およびセル固有基準信号のための基準シンボルを生成し得る。送信（ＴＸ）多入力多出力（ＭＩＭＯ）プロセッサ４３０が、適用可能な場合、データシンボル、制御シンボル、および／または基準シンボルに対して空間処理（たとえば、プリコーディング）を実行し得、出力シンボルストリームを変調器（ＭＯＤ）４３２ａ〜４３２ｔに与え得る。各変調器４３２は、出力サンプルストリームを取得するために、（たとえば、ＯＦＤＭなどのために）それぞれの出力シンボルストリームを処理し得る。各変調器４３２はさらに、ダウンリンク信号を取得するために、出力サンプルストリームを処理（たとえば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００３６】
[0041]ＵＥ１１５において、アンテナ４５２ａ〜４５２ｒが、ｅＮＢ１０５からダウンリンク信号を受信し得、受信信号をそれぞれ復調器（ＤＥＭＯＤ）４５４ａ〜４５４ｒに与え得る。各復調器４５４は、入力サンプルを取得するために、それぞれの受信信号を調整（たとえば、フィルタ処理、増幅、ダウンコンバート、およびデジタル化）し得る。各復調器４５４はさらに、受信シンボルを取得するために、（たとえば、ＯＦＤＭなどのために）入力サンプルを処理し得る。ＭＩＭＯ検出器４５６が、すべての復調器４５４ａ〜４５４ｒから受信シンボルを取得し、適用可能な場合は受信シンボルに対してＭＩＭＯ検出を実行し、検出されたシンボルを与え得る。受信プロセッサ４５８が、検出シンボルを処理（たとえば、復調、デインターリーブ、および復号）し、ＵＥ１１５のための復号されたデータをデータシンク４６０に与え、復号された制御情報をコントローラ／プロセッサ４８０に与え得る。
【００３７】
[0042]アップリンク上では、ＵＥ１１５において、送信プロセッサ４６４が、データソース４６２から（たとえば、物理アップリンク共有チャネル（ＰＵＳＣＨ：physical uplink shared channel）のための）データを受信し、処理し得、コントローラ／プロセッサ４８０から（たとえば、物理アップリンク制御チャネル（ＰＵＣＣＨ：physical uplink control channel）のための）制御情報を受信し、処理し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）変調器４５４ａ〜４５４ｒによって処理され、ｅＮＢ１０５に送信され得る。ｅＮＢ１０５において、ＵＥ１１５からのアップリンク信号は、アンテナ４３４によって受信され、復調器４３２によって処理され、適用可能な場合はＭＩＭＯ検出器４３６によって検出され、ＵＥ１１５によって送られた復号されたデータと制御情報とを取得するために、受信プロセッサ４３８によってさらに処理され得る。プロセッサ４３８は、復号されたデータをデータシンク４３９に与え、復号された制御情報をコントローラ／プロセッサ４４０に与え得る。
【００３８】
[0043]コントローラ／プロセッサ４４０および４８０は、それぞれ、ｅＮＢ１０５およびＵＥ１１５における動作を指示し得る。ｅＮＢ１０５におけるコントローラ／プロセッサ４４０ならびに／あるいは他のプロセッサおよびモジュールは、本明細書で説明する技法のための様々なプロセスを実行するか、またはその実行を指示し得る。また、ＵＥ１１５におけるコントローラ／プロセッサ４８０ならびに／あるいは他のプロセッサおよびモジュールは、図５〜図１１に示す機能ブロック、および／または本明細書で説明する技法のための他のプロセスを実行するか、またはその実行を指示し得る。メモリ４４２および４８２は、それぞれ、ｅＮＢ１０５およびＵＥ１１５のためのデータおよびプログラムコードを記憶し得る。スケジューラ４４４は、ダウンリンクおよび／またはアップリンク上でのデータ送信のためにＵＥをスケジューリングし得る。
【００３９】
[0044]ＬＴＥでは、ＵＥは、２つまたはそれ以上のコンポーネントキャリアまたはＣＣで構成され、８つのＵＥカテゴリーのうちの１つに割り当てられ得、ここにおいて、そのようなカテゴリーの各々は、ソフトチャネルビットの総数に関連する。表１は、現在の８つの定義されているカテゴリーを、所与の送信時間間隔（ＴＴＩ）内で受信されるダウンリンク共有チャネル（ＤＬ−ＳＣＨ）トランスポートブロックビットの関連する最大数と、ＴＴＩ内で受信され得るＤＬ−ＳＣＨトランスポートブロックの最大ビット数と、ソフトバッファにとって利用可能なソフトチャネルビットの総数と、ダウンリンクにおける空間多重化のためのサポートされたレイヤの最大数とともに与える。
【００４０】
【表１】
0006359653.tif 000002
【００４１】
[0045]表１に示されているように、カテゴリー６および７は、空間多重化のために２つのレイヤまたは４つのレイヤのいずれかを使用し得る。したがって、ＴＴＩ内で受信され得るＤＬ−ＳＣＨトランスポートブロックの最大ビット数は、２つのレイヤが使用されるのか４つのレイヤが使用されるのかに応じて異なる。
【００４２】
[0046]ソフトバッファは、ダウンリンクハイブリッド自動再送要求（ＨＡＲＱ）プロセスに従う再送信されるデータパケットとのソフト合成において使用する復号に失敗したデータパケットを記憶するために設けられる。各ＣＣの使用されるダウンリンク送信内で、各ＨＡＲＱプロセスは、概して、ＣＣにわたって均等にスプリットされる。送信が周波数分割複信（ＦＤＤ）であるのか時分割複信（ＴＤＤ）であるのかに応じて、およびＴＤＤである場合、いずれのアップリンク／ダウンリンクサブフレーム構成が使用されるのかに応じて、異なる数の利用可能なＨＡＲＱプロセスがある。ＦＤＤでは、最高８つのダウンリンクＨＡＲＱプロセスがある。ＴＤＤでは、以下の表２に示されているように、ダウンリンクＨＡＲＱプロセスの数は、ＴＤＤアップリンク／ダウンリンクサブフレーム構成に依存し、最高１５であり得る。ソフトバッファは、概して、ＨＡＲＱプロセス、コードワード、および構成されたＣＣの数の間で半静的様式で区分される。
【００４３】
【表２】
0006359653.tif 000003
【００４４】
[0047]基地局またはｅＮＢにおいて、トランスポートブロックのためのソフトバッファサイズは、以下の式によって表され得る。
【００４５】
【数１】
0006359653.tif 000004
【００４６】
式（１）の異なる変数の値は、ＵＥがｕｅ−Ｃａｔｅｇｏｒｙ−ｖ１０ｘｙをシグナリングするのかｕｅ−Ｃａｔｅｇｏｒｙをシグナリングするのかに応じて異なり得る。ＵＥがｕｅ−Ｃａｔｅｇｏｒｙ−ｖ１０ｘｙをシグナリングし、さらに、ダウンリンクセルのための送信モード９／１０で構成されたとき、Ｎsoftは、ｕｅ−Ｃａｔｅｇｏｒｙ−ｖ１０ｘｙによって示されるＵＥカテゴリーに従うソフトチャネルビットの総数を表す。そうではなく、ＵＥがｕｅ−Ｃａｔｅｇｏｒｙをシグナリングするとき、Ｎsoftは、ｕｅ−Ｃａｔｅｇｏｒｙによって示されるＵＥカテゴリーに従うソフトチャネルビットの総数を表す。したがって、たとえば、Ｎsoft＝３５，９８２，７２０である場合、ＫC＝５であり、またはＮsoft＝３，６５４，１４４であり、ＵＥがダウンリンクセルのためのせいぜい最大２つの空間レイヤをサポートすることが可能である場合、ＫC＝２である。他の場合、ＫC＝１である。ＫMIMOは、送信がＭＩＭＯ送信を含むかどうかを示し、たとえば、ＵＥが、（所与のコンポーネントキャリア（ＣＣ）上の）送信モード３、４、８、９または１０に基づくＰＤＳＣＨ送信を受信するように構成されたとき、２に設定され得、ＵＥが、異なる送信モードに基づくＰＤＳＣＨ送信を受信するように構成された場合、１など、異なる値に設定されることになる。ＵＥが２つ以上のサービングセルで構成され、少なくとも２つのサービングセルが異なるアップリンク／ダウンリンク構成を有するとき、ＭDL_HARQは、サービングセルのダウンリンク参照アップリンク／ダウンリンク構成のためのダウンリンクＨＡＲＱプロセスの最大数を表し得る。他の場合、ＭDL_HARQは、ダウンリンクＨＡＲＱプロセスの最大数を表すことになる。Ｍlimitは、利用可能であり得るＨＡＲＱプロセスの数に対する推定された最大限界として選択された定数を表す。いくつかの代表的態様では、Ｍlimitは８として選択され得る。
【００４７】
[0048]ＵＥ側のソフトバッファ区分では、周波数分割複信（ＦＤＤ）とＴＤＤの両方について、ＵＥが２つ以上のサービングセルで構成される場合、各サービングセルのために、少なくともＫMIMO・ｍｉｎ（ＭＤL_HARQ，Ｍlimit）トランスポートブロックのために、トランスポートブロックのコードブロックの復号失敗時に、ＵＥは、少なくともｗk，ｗk+1，．．．，ｗmod(k+nsb-1,Ncb)の範囲に対応する受信されたソフトチャネルビットを記憶し得、ただし、
【００４８】
【数２】
0006359653.tif 000005
【００４９】
。
ただし、Ｃはコードブロックの数を表し、ＮcellsDLはダウンリンクのための構成されたセルの数を表し、ＮcbはｅＮＢにおけるコードブロックのためのソフトバッファサイズを表し、Ｎsoft’＝Ｎsoftである。
【００５０】
[0049]無認可スペクトルを用いるＬＴＥ／ＬＴＥ−Ａなど、ハイブリッド認可／無認可通信における無認可スペクトルの使用のために、無認可スペクトルを用いるＬＴＥ／ＬＴＥ−Ａと、無認可スペクトルの使用を組み込む他の通信システムとに関連する様々な特定のプロパティがある。たとえば、所与のフレームにおけるＵＥのために構成されたＣＣの総数（ＮLTE-Unlicensed）について、クリアチャネルアセスメント（ＣＣＡ）がクリアされたＣＣの総数は、ＮLTE-Unlicensedよりも少ないことがある。いくつかのＬＴＥ／ＬＴＥ−Ａ無認可スペクトルコンポーネントキャリアは、フレームについてクリアされたＣＣＡを有しないことがある。各ＣＣでは、展開シナリオ（たとえば、補足ダウンリンク（ＳＤＬ）、キャリアアグリゲーション（ＣＡ）、またはスタンドアロン（ＳＡ））、およびＨＡＲＱ設計に応じて、ＨＡＲＱプロセスの最大数は大きくなり得る。その上、いくつかのＨＡＲＱプロセスは、小さいＨＡＲＱ−肯定応答（ＡＣＫ）タイミングを有し得、他のＨＡＲＱプロセスは、完全なＣＣＡクリアランス（clearance）の下でさえ、極めて大きいＨＡＲＱ−ＡＣＫタイミングを有し得る。所与のＣＣでは、ＣＣＡクリアランスステータスに応じて、１つまたは複数のＨＡＲＱプロセスが長時間、再送信機会を有しないことがある。１つまたは複数のＨＡＲＱプロセスのための対応するソフトバッファ中のサンプルは、したがって、古くなり得る。
【００５１】
[0050]現在、ＬＴＥモデルは、ソフトバッファを区分する際に使用されるべき特定のＵＥのために構成されたＣＣの数を与える。しかしながら、いくつかのＣＣのための無認可スペクトルの使用により、そのような無認可ＣＣ上での送信が保証されなくなるので、本開示の様々な態様は、単にＵＥのために構成されたＣＣの数とは異なるＣＣの数を使用してソフトバッファ区分を決定することを対象とする。図５は、本開示の一態様を実装するために実行される例示的なブロックを示す機能ブロック図である。ブロック５００において、基地局は、ＵＥのために構成されたＣＣの第１の数を決定する。無認可ＣＣを使用して、ＣＣのこの第１の数は、ＵＥによる使用のために構成された無認可ＣＣの総数を含み得る。
【００５２】
[0051]ブロック５０１において、基地局は、その数のＣＣ内で、ＣＣＡ動作の対象となるＣＣの第１のセットを識別する。ＣＣの第１のセット上での送信は、したがって、クリアなＣＣＡ検査の対象であることになる。ブロック５０２において、基地局は、ＣＣの数と、ＣＣＡ動作の対象となるＣＣの第１のセットとに少なくとも部分的に基づいてソフトバッファを区分するために決定する。基地局はソフトバッファを区分するためのＣＣの第２の数を決定し、ここにおいて、第２の数は第１の数とは異なる。ＵＥのために構成されたＣＣの総数のみを使用してソフトバッファを区分するのではなく、区分は、少なくとも、構成されたＣＣの総数と、ＣＣＡ動作の対象であるＣＣの数とに基づくことになる。
【００５３】
[0052]本開示の様々な追加の態様は、ＮLTE-Unlicensed個の構成されたキャリアの間のＣＣＡクリアランス統計値に基づく異なるＣＣ上でのソフトバッファ区分を対象とする。ソフトバッファ区分において使用する構成されたＣＣの数を決定する際に、構成されたＣＣの総数は、構成された認可ＣＣの総数、たとえば、ＮLTEと、無認可ＣＣの総数ＮLTE-Unlicensedとを含む。しかしながら、所与のフレームでは、ＣＣＡクリアランスをもつＫ≦ＮLTE-Unlicensed個のキャリアのみがあり得る。したがって、基地局は、ＣＣＡ統計値に基づいて異なるＨＡＲＱ終了ターゲットを選定し得る。
【００５４】
[0053]図６は、本開示の一態様を実装するために実行される例示的なブロックを示す機能ブロック図である。ブロック６００において、基地局は、ＵＥによって監視される認可ＣＣの数を決定する。ブロック６０１において、基地局は、ＵＥによって監視され、所与のフレームにおいてクリアなＣＣＡを有する無認可ＣＣの数Ｋを決定する。構成されたダウンリンクＣＣの総数ＮcellsDLを決定する際に、基地局は、ブロック６０２において、そのフレームにおけるクリアされた無認可ＣＣ、Ｋに認可ＣＣの総数ＮLTEを加算する。ブロック６０３において、基地局は、各フレームについてＣＣＡクリアランス統計値を含む構成されたＣＣのこの総数に基づいて、ソフトバッファを区分する。この態様は、より正確である区分において使用するＣＣの数を与えるが、いくつかの態様では、それは、検出されたクリアなＣＣＡをもつ無認可ＣＣの数が各フレームにおいて大幅に異なり得るので、動的すぎることがある。
【００５５】
[0054]図７は、本開示の一態様を実装するために実行される例示的なブロックを示す機能ブロック図である。ブロック７００において、基地局は、ＵＥによって監視される認可ＣＣの数を決定する。ブロック７０１において、基地局は、所定の数のフレームにわたってクリアなＣＣＡを有する、ＵＥによって監視される無認可ＣＣの平均数Ｍを決定する。所定の数のフレームにわたって平均して、ＣＣＡクリアランスをもつＭ≦ＮLTE-Unlicensed個のキャリアがあり得る。また、無認可スペクトルを用いるＬＴＥ／ＬＴＥ−Ａと、無認可スペクトルを用いないＬＴＥ／ＬＴＥ−Ａは、異なるＨＡＲＱターゲット終了を有し得る。ｅＮＢは、ＵＥのために構成されたＮLTE≧０個のキャリアがあると仮定すると、その場合、ブロック７０２において、ソフトバッファを区分するための構成されたＣＣの総数を決定するためにＮcellsDL＝ＮLTE-Unlicensed＋ＮLTEを使用する代わりに、クリアな無認可ＣＣの平均数ＭとＬＴＥ  ＣＣの数ＮLTEとに基づいて、すべての構成されたＣＣを決定することになる。ブロック７０３において、基地局は、ＣＣＡクリアランス統計値に基づく構成されたＣＣの数を使用してソフトバッファを区分することになる。
【００５６】
[0055]区分するために、構成されたＣＣの総数を決定するとき、１つまたは複数の認可ＣＣが、データ送信がない制御シグナリングのために使用されるにすぎないことがあることに留意されたい。そのような場合、制御シグナリングのために使用されている１つまたは複数の認可ＣＣのためのソフトバッファ区分は必要ないであろう。したがって、基地局は、ソフトバッファ管理プロシージャ中に制御送信認可ＣＣを含めないことがある。
【００５７】
[0056]所与のフレームにおけるＣＣＡ検査をクリアする無認可ＣＣの実際の数が、区分のために使用される平均数を超えるならば、ＮcellsDLをＭ＋ＮLTEと置き換えることにより、追加の処理が生じ得ることに留意されたい。さらに、クリアな無認可ＣＣの数の代表的平均値Ｍは、サービングセルによって構成され得ることに留意されたい。等価的に、スケーリングファクタα∈（０，１］も、α×ＮLTE-Unlicensed＋ＮLTE＝Ｍ＋ＮLTEであるように使用され得る。本開示の様々な態様は、区分のために使用されるＣＣの変更された数を確立するためのいかなる特定の方法にも限定されない。
【００５８】
[0057]本開示の様々な追加の態様は、区分のための構成されたＣＣのより正確な数を反映するために、仮想セルベースソフトバッファ管理を使用し得る。ＵＥは、ＣＣＡ監視のためのＮ個のセルと、キャリアアグリゲーションのためのＭ≦Ｎ個のセルとで構成され得る。仮想セルは、キャリアアグリゲーションのために構成されたＭ個のセルからのクリアなＣＣＡを有する無認可ＣＣとして定義される。これらのＭ個のセルは、Ｎ個の構成されたセルのいずれかであり得、Ｍ個のセルは、ＣＣＡがクリアされたセルのうちのセルである。様々な代替態様は、（ＣＣＡ監視のために構成された合計Ｎ個のＣＣの代わりに）Ｍ個のＣＣに基づいて、ソフトバッファ区分を実行し得る。
【００５９】
[0058]図８は、本開示の一態様を実装するために実行される例示的なブロックを示す機能ブロック図である。ブロック８００において、基地局は、ＵＥによるＣＣＡ監視のために構成された無認可ＣＣの数を決定する。無認可ＣＣ上での送信が保証されないので、より多くの伝送容量が達成される確率を高めるために、ＵＥによるＣＣＡ監視のために多くの無認可ＣＣが構成され得る。
【００６０】
[0059]ブロック８０１において、基地局は、ＵＥによるキャリアアグリゲーションのために構成された無認可ＣＣの数を決定する。ＵＥにおけるキャリアアグリゲーションのために構成された無認可ＣＣの数は、ＣＣＡ監視のために構成された数までであり得る。ブロック８０２において、基地局は、キャリアアグリゲーションのために構成された数まで、構成されたＣＣのいずれかについてクリアなＣＣＡステータスを検出する。これらのクリアされた無認可ＣＣは、ＣＣＡ監視のために構成されたすべての無認可ＣＣのうちのいずれかであり得る。ブロック８０３において、基地局は、少なくともクリアされたＣＣＡを有する仮想セルのためのキャリアアグリゲーションのために構成された無認可ＣＣの数に基づいて、ソフトバッファを区分する。
【００６１】
[0060]認可ＣＣ上での送信が保証されるので、そのような認可ＣＣのほうを優先してソフトバッファ使用に優先度を付けることが好ましいことがある。図９は、本開示の一態様を実装するために実行される例示的なブロックを示す機能ブロック図である。ブロック９００において、基地局は、ＵＥによって監視される認可ＣＣの数を決定する。ブロック９０１において、基地局は、ＵＥによって監視される無認可ＣＣの数を決定する。ブロック９０２において、基地局は、認可ＣＣへのソフトバッファ区分を優先させ得る。無認可ＣＣの推定されたクリアの数Ｍの操作、ここで、Ｍ＜ＮLTE-Unlicensedであり、または認可ＣＣと無認可ＣＣとについて異なる式を使用することによって、無認可ＣＣに勝る認可ＣＣの優先度付けが達成され得る。たとえば、認可ＣＣは、ＮcellsDLについて式（２）において式ＮcellsDL＝Ｍ１＋ＮLTEを使用し得、無認可ＣＣは、式（２）において式ＮcellsDL＝（Ｍ１＋ＮLTE）×Ｍ２／Ｍ１を使用し得、ここで、Ｍ２≧Ｍ１である。
【００６２】
【数３】
0006359653.tif 000006
【００６３】
認可ＣＣを無認可ＣＣよりも優先させるために、Ｍ２≧Ｍ１という関係が異なる式を重み付けすることになる。
【００６４】
[0061]ソフトバッファ区分のために使用される構成されたＣＣの総数が認可ＣＣと無認可ＣＣの両方を含むので、本開示の様々な態様は、ジョイント区分またはソフトバッファ管理あるいはセパレート区分またはソフトバッファ管理のいずれかを与え得る。上記で説明した例は、ジョイントソフトバッファ管理を仮定した。しかしながら、本開示の様々な態様は、基地局が、認可ＣＣと無認可ＣＣとについてソフトバッファをセパレート区分することを可能にする。図１０は、本開示の一態様を実装するために実行される例示的なブロックを示す機能ブロック図である。ブロック１０００および１００１において、基地局は、それぞれ、ＵＥによって監視される認可ＣＣおよび無認可ＣＣの数を決定する。ブロック１００２において、基地局は、本明細書で説明する態様に従って、認可ＣＣと無認可ＣＣとについてソフトバッファをセパレート区分し得る。
【００６５】
[0062]追加の態様では、ブロック１００２のセパレート区分も使用され得、認可ＣＣと無認可ＣＣのための別個のＵＥカテゴリー定義と組み合わせられ得ることに留意されたい。表１に関して、ＵＥカテゴリーの新しいセットは、ＵＥのための無認可ＣＣのために定義され得る。これらの新しい無認可ＣＣ  ＵＥカテゴリーは、特定のカテゴリーのための別個のビット量を含み得る。
【００６６】
[0063]さらに、基地局は、現在のネットワーク動作に基づいて、ブロック１００２を通してなど、セパレートソフトバッファ管理を実行することを決定し得ることに留意されたい。たとえば、複数の基地局が互いの間で理想的でないバックホール通信を有するとき、ジョイントソフトバッファ管理は、キャリアアグリゲーションネットワーク動作のために選択され得、セパレートソフトバッファ管理は、マルチフローまたはデュアル接続性動作のために選択され得る。
【００６７】
[0064]さらに、Ｍの決定はＵＥによって支援され得ることに留意されたい。ＵＥは、それ自体の必要／要件および／または観測されたチャネル／干渉／負荷状態に基づいて、何らかの好ましいＭを報告し得る。
【００６８】
[0065]さらに、無認可ＣＣのための式（１）および式（２）のＭlimitは、認可ＣＣのためのＭlimitとは異なり得ることに留意されたい。たとえば、ＬＴＥのためのＭlimitは８であり得、無認可スペクトルを用いるＬＴＥ／ＬＴＥ−ＡのためのＭlimitは１６であり得る。認可ＣＣまたは無認可ＣＣのいずれかのためのＭlimitは、本開示の代替態様では、８または１６とは異なる定数として選択され得ることに留意されたい。
【００６９】
[0066]本開示の様々な態様は、異なるＨＡＲＱプロセスにわたるソフトバッファ区分をさらに対象とする。簡単のために、所与のＣＣ内の異なるＨＡＲＱプロセスにわたるソフトバッファの区分は、「等しいスプリット」概念になお基づき、ここで、区分のためのＨＡＲＱプロセスの数は、ｍｉｎ（ＭDL_HARQ，Ｍlimit）という式を使用してなお決定され得る。（たとえば、ＨＡＲＱラウンドトリップ時間（ＲＴＴ）に基づいて）ＨＡＲＱプロセスを不均等に分割することを考慮することが、本開示の随意の態様になる。
【００７０】
[0067]ここで説明するソフトバッファ管理プロシージャの様々な態様および動作では、ＣＣＡクリアランス統計値に基づくソフトバッファを区分するために使用されるＣＣの数が、ＣＣまたはスケジュールされたＨＡＲＱプロセスの実際の数に一致しないことがあるというシナリオが起こり得る。この不整合区分またはアンダーブッキングは、区分するために使用されるＣＣの数が、スケジュールされたＣＣの数未満であること、またはＣＣにおいて区分するために使用されるＨＡＲＱプロセスの数が、ＣＣ上のスケジュールされたＨＡＲＱプロセスの数未満であることによってもたらされる。
【００７１】
[0068]アンダーブッキングによって起こる問題に対処するために、本開示の様々な態様は、ＣＣ依存性またはＨＡＲＱプロセス依存性を通してアンダーブッキングを解決するための可能なルールを提案する。図１１は、本開示の一態様を実装するために実行される例示的なブロックを示す機能ブロック図である。ブロック１１００において、ソフトバッファは、ＣＣＡクリアランス情報に基づいて、本明細書で説明する方法のうちの１つを使用して区分される。ブロック１１０１において、基地局は、区分のために使用されるＣＣの数が、スケジュールされたＣＣの実際の数に一致しないか、または区分のために使用されるＨＡＲＱプロセスの数が、ＣＣ上でスケジュールされたＨＡＲＱプロセスの実際の数に一致しないかのいずれかであるので、不整合パーティションを検出する。
【００７２】
[0069]本開示の第１の態様では、ブロック１１０２ａにおいて、基地局は、ＣＣ依存性ルールを使用して、区分されたソフトバッファへのアクセスに優先度を付ける。たとえば、認可ＣＣは、そのようなものが存在する場合、無認可ＣＣに勝る最も高い優先度を与えられる。さらに、認可ＣＣまたは無認可ＣＣのグループの間で、グループはまた、ＣＣセルインデックスに従って優先度を付けられ、ここで、（ＲＲＣメッセージングを通して構成された）より低いセルインデックスは、より高い優先度を与えられる。
【００７３】
[0070]ＣＣにわたるソフトバッファ再構成の発生を最小限に抑えるかまたは低減するための実装形態および／または規格化が使用され得ることに留意されたい。現在、ＬＴＥでは、不整合区分またはアンダーブッキングによるソフトバッファ再構成は、通常、各ＣＣ内で実行される。そのようなＣＣにわたる再構成を低減するかまたは最小限に抑えるための一例は、各構成されたＣＣに対して、最小数のＨＡＲＱプロセスのためのソフトバッファを保証することである。
【００７４】
[0071]本開示の第２の態様では、ブロック１１０２ｂにおいて、基地局は、ＨＡＲＱプロセス依存性ルールを使用して、区分されたソフトバッファへのアクセスに優先度を付ける。たとえば、サービングセルに送信されたＡＣＫ／ＮＡＫフィードバックをすでに有するＨＡＲＱプロセスに、より高い優先度が与えられ得る。そのようなＨＡＲＱプロセスは、それが、再送信が計画されるであろうということを知ることになるように、ＵＥからＮＡＫをすでに受信していることになる。これは、（たとえば、失敗したＵＬ  ＣＣＡなどにより）送信されたＡＣＫ／ＮＡＫフィードバックをまだ有していないＨＡＲＱプロセスと比較される。異なる優先度が、再送信の回数および／または最初の送信からの経過した時間の量に基づいて、ＨＡＲＱプロセスに与えられ得る。より古い、保留中のＨＡＲＱプロセスが長時間保留中であり得るので、再送信の最も大きい回数または最初の送信からの経過時間の長い量をもつＨＡＲＱプロセスは、より最近のＨＡＲＱプロセスほどには重要でないであろう古いデータパケットを含み得る。したがって、追加の態様は、より高い優先度を新たにスケジュールされたＨＡＲＱプロセスに割り当てることを考慮し得る。より高い優先度はまた、ＭＩＭＯ送信を有するＨＡＲＱプロセスに与えられ得る。したがって、ＭＩＭＯモードをもつＣＣの場合、いくつかのサブフレームがランク１送信を有し得、他のサブフレームが、１よりも大きいランクをもつ送信を有し得る。
【００７５】
[0072]本開示の第３の態様では、ブロック１１０２ｃにおいて、基地局はまた、ソフトバッファ管理に対処するためにそれ自体の挙動を変更し得る。たとえば、無認可ＣＣのためのｅＮＢは、したがって、ＵＥにおけるソフトバッファ管理と、フレームにおけるＣＣＡクリアランスとに基づいてスケジュールし得る。スケジュールされたＣＣ／ＨＡＲＱプロセスの数が、ソフトバッファ区分のためのスケジュールされた公称ＣＣ／ＨＡＲＱプロセスよりも大きい場合、本開示の様々な態様は、これらのＣＣ／ＨＡＲＱプロセスのための異なるＨＡＲＱターゲット終了を考慮する。
【００７６】
[0073]前に説明した例は、無認可スペクトルを用いるＬＴＥ／ＬＴＥ−Ａ動作と、無認可スペクトルを用いないＬＴＥ／ＬＴＥ−Ａ動作との間の考察を与えるが、本開示の代替態様が、ＵＥのために構成された無認可キャリアのみがあるというシナリオ、またはＨＡＲＱがサポートされる、他のタイプのＲＡＴの組合せ、たとえば、ＬＴＥ＋改善されたＷｉＦｉがあるというシナリオにも適用可能であり得ることに留意されたい。本開示の様々な態様は、そのような異なるネットワークおよびＲＡＴの各々に適合する。
【００７７】
[0074]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７８】
[0075]図５〜図１１の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００７９】
[0076]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。当業者はまた、本明細書で説明した構成要素、方法、または相互作用の順序あるいは組合せは例にすぎないこと、および本開示の様々な態様の構成要素、方法、または相互作用は、本明細書で例示し、説明したもの以外の方法で組み合わせられるかまたは実行され得ることを容易に認識されよう。
【００８０】
[0077]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８１】
[0078]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００８２】
[0079]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００８３】
[0080]特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００８４】
[0081]本開示についての以上の説明は、いかなる当業者も本開示を作成または使用することができるようにするために提供したものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
ユーザ機器（ＵＥ）のために構成されたコンポーネントキャリア（ＣＣ）の数を決定することと、
前記数のＣＣ内で、クリアチャネルアセスメント（ＣＣＡ）動作の対象となるコンポーネントキャリアの第１のセットを識別することと、
ＣＣの前記数と、ＣＣＡ動作の対象となるＣＣの前記第１のセットとにオン少なくとも部分的に基づいてソフトバッファを区分するために決定することと
を備える、ワイヤレス通信の方法。
［Ｃ２］
ＣＣＡ動作の対象となるＣＣの前記第１のセットが無認可スペクトル中にある、Ｃ１に記載の方法。
［Ｃ３］
ＣＣＡ動作の対象となるＣＣの前記第１のセットが共有認可スペクトル中にある、Ｃ１に記載の方法。
［Ｃ４］
ＣＣＡ動作の対象となるＣＣの前記第１のセットに基づいて前記ソフトバッファを区分するために前記決定することが、ＣＣＡ動作の対象となるＣＣの前記第１のセットをスケーリングファクタでスケーリングすることを含む、Ｃ１に記載の方法。
［Ｃ５］
前記ソフトバッファを区分するために、ＣＣＡ動作の対象となるＣＣの前記第１のセットのための値を決定することをさらに含み、ただし、前記値が、ＣＣＡ動作の対象となるＣＣの前記第１のセット中のＣＣの前記数未満である、Ｃ１に記載の方法。
［Ｃ６］
ＣＣＡ動作の対象となるＣＣの前記第１のセット内で、前記ソフトバッファを区分するためにＣＣＡクリアランスをもつＣＣの数を決定することをさらに含む、Ｃ１に記載の方法。
［Ｃ７］
ＣＣＡ動作の対象となるＣＣの前記第１のセット中のＣＣの前記数が、前記ＵＥのために構成されたＣＣの前記数に等しい、Ｃ１に記載の方法。
［Ｃ８］
ＣＣの第２のセットがＣＣＡ動作を免除された１つまたは複数のＣＣを含むと決定することをさらに含み、ここにおいて、前記ソフトバッファが、ＣＣの前記第１のセットとＣＣの前記第２のセットとについてセパレート区分されるかまたはジョイント区分されるかのうちの１つである、Ｃ１に記載の方法。
［Ｃ９］
前記ソフトバッファのジョイント区分が、ＣＣの前記第２のセット中の前記１つまたは複数のＣＣについて優先される、Ｃ８に記載の方法。
［Ｃ１０］
前記ソフトバッファのビットサイズが、ＣＣの前記第１のセットについておよびＣＣの前記第２のセットについてセパレートに決定される、Ｃ８に記載の方法。
［Ｃ１１］
ネットワーク動作に基づいて前記ソフトバッファをセパレート区分することまたはジョイント区分することのうちの１つを選択すること
をさらに含む、Ｃ８に記載の方法。
［Ｃ１２］
前記ネットワーク動作がキャリアアグリゲーションを含むとき、前記ソフトバッファをジョイント区分することを選択することと、
前記ネットワーク動作が理想的でないバックホール通信を有する２つまたはそれ以上の基地局を含むとき、前記ソフトバッファをセパレート区分することを選択することと、ここにおいて、前記２つまたはそれ以上の基地局が、前記ＵＥのために構成された前記数のＣＣのうちの１つまたは複数に関連する、
をさらに含む、Ｃ１１に記載の方法。
［Ｃ１３］
前記ソフトバッファを区分することが、ＲＲＣシグナリングメッセージ、前記ＵＥが多入力多出力（ＭＩＭＯ）シグナリングを使用して動作するかどうか、基地局のアップリンク／ダウンリンク構成に基づく前記ＵＥにとって利用可能なダウンリンクハイブリッド自動再送要求（ＨＡＲＱ）プロセスの最大数、またはサイズの決定において許容されるＨＡＲＱプロセスの最大限界のうちの少なくとも１つにさらに基づく、Ｃ１に記載の方法。
［Ｃ１４］
ＨＡＲＱプロセスの前記最大限界Ｍlimitが、ＣＣの前記第１のセットのために選択された第１のＭlimitと、ＣＣの前記第２のセットのために選択された第２のＭlimitとを含む、Ｃ１３に記載の方法。
［Ｃ１５］
ユーザ機器（ＵＥ）のために構成されたコンポーネントキャリア（ＣＣ）の数を決定するための手段と、
前記数のＣＣ内で、クリアチャネルアセスメント（ＣＣＡ）動作の対象となるコンポーネントキャリアの第１のセットを識別するための手段と、
ＣＣの前記数と、ＣＣＡ動作の対象となるＣＣの前記第１のセットとにオン少なくとも部分的に基づいてソフトバッファを区分するために決定するための手段と
を備える、ワイヤレス通信のために構成された装置。
［Ｃ１６］
ＣＣＡ動作の対象となるＣＣの前記第１のセットが無認可スペクトル中にある、Ｃ１５に記載の装置。
［Ｃ１７］
ＣＣＡ動作の対象となるＣＣの前記第１のセットが共有認可スペクトル中にある、Ｃ１５に記載の装置。
［Ｃ１８］
ＣＣＡ動作の対象となるＣＣの前記第１のセットに基づいて前記ソフトバッファを区分するために決定するための前記手段が、ＣＣＡ動作の対象となるＣＣの前記第１のセットをスケーリングファクタでスケーリングするための手段を含む、Ｃ１５に記載の装置。
［Ｃ１９］
前記ソフトバッファを区分するために、ＣＣＡ動作の対象となるＣＣの前記第１のセットのための値を決定するための手段をさらに含み、ただし、前記値が、ＣＣＡ動作の対象となるＣＣの前記第１のセット中のＣＣの前記数未満である、Ｃ１５に記載の装置。
［Ｃ２０］
ＣＣＡ動作の対象となるＣＣの前記第１のセット内で、前記ソフトバッファを区分するためにＣＣＡクリアランスをもつＣＣの数を決定するための手段をさらに含む、Ｃ１５に記載の装置。
［Ｃ２１］
ＣＣＡ動作の対象となるＣＣの前記第１のセット中のＣＣの前記数が、前記ＵＥのために構成されたＣＣの前記数に等しい、Ｃ１５に記載の装置。
［Ｃ２２］
ＣＣの第２のセットがＣＣＡ動作を免除された１つまたは複数のＣＣを含むと決定するための手段をさらに含み、ここにおいて、前記ソフトバッファが、ＣＣの前記第１のセットとＣＣの前記第２のセットとについてセパレート区分されるかまたはジョイント区分されるかのうちの１つである、Ｃ１５に記載の装置。
［Ｃ２３］
前記ソフトバッファのジョイント区分が、ＣＣの前記第２のセット中の前記１つまたは複数のＣＣについて優先される、Ｃ２１に記載の装置。
［Ｃ２４］
前記ソフトバッファのビットサイズが、ＣＣの前記第１のセットについておよびＣＣの前記第２のセットについてセパレートに決定される、Ｃ２１に記載の装置。
［Ｃ２５］
ネットワーク動作に基づいて前記ソフトバッファをセパレート区分することまたはジョイント区分することのうちの１つを選択するための手段
をさらに含む、Ｃ２１に記載の装置。
［Ｃ２６］
前記ネットワーク動作がキャリアアグリゲーションを含むとき、前記ソフトバッファをジョイント区分することを選択するための手段と、
前記ネットワーク動作が理想的でないバックホール通信を有する２つまたはそれ以上の基地局を含むとき、前記ソフトバッファをセパレート区分することを選択するための手段と、ここにおいて、前記２つまたはそれ以上の基地局が、前記ＵＥのために構成された前記数のＣＣのうちの１つまたは複数に関連する、
をさらに含む、Ｃ２５に記載の装置。
［Ｃ２７］
前記ソフトバッファを区分することが、ＲＲＣシグナリングメッセージ、前記ＵＥが多入力多出力（ＭＩＭＯ）シグナリングを使用して動作するかどうか、基地局のアップリンク／ダウンリンク構成に基づく前記ＵＥにとって利用可能なダウンリンクハイブリッド自動再送要求（ＨＡＲＱ）プロセスの最大数、またはサイズの決定において許容されるＨＡＲＱプロセスの最大限界のうちの少なくとも１つにさらに基づく、Ｃ１５に記載の装置。
［Ｃ２８］
ＨＡＲＱプロセスの前記最大限界Ｍlimitが、ＣＣの前記第１のセットのために選択された第１のＭlimitと、ＣＣの前記第２のセットのために選択された第２のＭlimitとを含む、Ｃ２７に記載の装置。
［Ｃ２９］
プログラムコードを記録した非一時的コンピュータ可読媒体であって、前記プログラムコードが、
ユーザ機器（ＵＥ）のために構成されたコンポーネントキャリア（ＣＣ）の数を決定することをコンピュータに行わせるためのプログラムコードと、
前記数のＣＣ内で、クリアチャネルアセスメント（ＣＣＡ）動作の対象となるコンポーネントキャリアの第１のセットを識別することを前記コンピュータに行わせるためのプログラムコードと、
ＣＣの前記数と、ＣＣＡ動作の対象となるＣＣの前記第１のセットとにオン少なくとも部分的に基づいてソフトバッファを区分するために決定することを前記コンピュータに行わせるためのプログラムコードと
を備える、非一時的コンピュータ可読媒体。
［Ｃ３０］
ＣＣＡ動作の対象となるＣＣの前記第１のセットが無認可スペクトルまたは共有認可スペクトルのうちの１つ中にある、Ｃ２９に記載の非一時的コンピュータ可読媒体。
【図１】
0006359653.tif 000007
【図２Ａ】
0006359653.tif 000008
【図２Ｂ】
0006359653.tif 000009
【図３】
0006359653.tif 000010
【図４】
0006359653.tif 000011
【図５】
0006359653.tif 000012
【図６】
0006359653.tif 000013
【図７】
0006359653.tif 000014
【図８】
0006359653.tif 000015
【図９】
0006359653.tif 000016
【図１０】
0006359653.tif 000017
【図１１】
0006359653.tif 000018